(57)【要約】【課題】厨芥に混じって破砕室内に投入された異物を、破砕室側面に設けた異物回収箱に取り込むようにした厨芥処理装置において、異物捕集箱への異物の飛び込みを円滑にする。【解決手段】水とともに厨芥を投入する破砕室１２を備え、破砕室１２の底部に回転刃板を備え、破砕室１２の側壁には開口部を設けて、その外側に異物捕集箱１５を取り付け、前記開口部を開閉する閉塞板と、前記閉塞板を開閉する操作ハンドルを備えたディスポーザー１を有する厨芥処理装置において、前記操作ハンドルによって前記閉塞板とともに移動する操作片１９と、操作片１９で動作するリミットスイッチ２１を設ける。前記閉塞板を操作して前記開口部が開いている間は、リミットスイッチ２１を動作させて、調整弁４によって供給水量を制限して、破砕室１２内に流入する厨芥の量を少なくする。【選択図】図１
0003165757.tif 000002
【実用新案登録請求の範囲】
【請求項１】
シンクと、前記シンクに連結したディスポーザーを備える厨芥処理装置において、
前記シンクは、
厨芥を前記ディスポーザーに流し込む水を供給する給水管と、
前記給水管の水量を調整する調整弁を有し、
前記ディスポーザーは、
破砕室の外側に取り付けた異物捕集箱と、
前記破砕室の側壁に設けられて、前記破砕室と前記異物捕集箱を連絡する開口部と、
前記開口部を開閉する閉塞板と、
前記閉塞板を開閉操作する操作装置を有する
ことを特徴とする厨芥処理装置。
【請求項２】
前記ディスポーザーは、
前記閉塞板とともに移動する操作片と、
前記操作片によって操作されるリミットスイッチを備え、
前記調整弁は前記リミットスイッチによって操作されて、前記閉塞板が前記開口を開放している間は、前記給水管が前記シンクに供給する水量を減少させる
ことを特徴とする請求項１に記載の厨芥処理装置。
【考案の詳細な説明】
【技術分野】
【０００１】
本考案は、厨芥に混じって破砕室内に投入された金属片や木片などの硬い異物を、破砕室側面に設けた異物回収箱に取り込むようにしたディスポーザーを用いた厨芥処理装置に関する。特に、食堂の下膳シンクのように大量の厨芥を処理する厨芥処理装置であって、異物を確実に取り込みむように構成された厨芥処理装置に関する。
【背景技術】
【０００２】
シンクの排水口に連結されたディスポーザーは、水とともに破砕室に投入された厨芥を、破砕室底部の回転刃板で受け、回転刃板の回転によって回転刃板上の打撃刃で破砕して跳ね飛ばし、遠心力により回転刃板の外周とこの外周を囲む固定刃との間に送って粉砕するようにしている。しかし、厨芥に混じってスプーンや王冠などの金属片、陶器片、木片などの硬い異物が投入されると、跳ね飛ばされて破砕室の内壁を傷つけたり、回転刃と固定刃との間に噛み込まれて刃を破損させるだけでなく、回転刃板がロックされてモータに過負荷を生じ焼損を招くなどの恐れがある。
【０００３】
このため、破砕室の側壁に開口する開口部（窓）と、該開口部から飛び込む異物を捕集する捕集箱を設け、常時は前記開口部を弁体や扉などの閉塞板で塞いでおき、破砕室に異物が入って跳ね飛ばされる音を聞いた時は閉塞板を操作して開口部を開き、該異物を捕集箱内に飛び込ませるようにした異物捕集装置が提案されている（特許文献１、特許文献２など）。
【先行技術文献】
【特許文献】
【０００４】
【特許文献１】実開昭５９−５３８５２号公報
【特許文献２】特開２００２−５９０２２号公報
【考案の概要】
【考案が解決しようとする課題】
【０００５】
しかし、シンクからディスポーザーに流入する厨芥は、多量の水とともに破砕室に流し込まれて回転刃板で跳ね飛ばされており、異物の混入を検知して閉塞板を開いている間は、水とともに破砕室内の厨芥も捕集箱内に飛び込み、捕集箱内を汚すだけでなく、破砕室内に飛び散っている多量の厨芥が、捕集箱に向かって飛び跳ねる異物の運動の邪魔になって円滑に捕集箱の開口部に入らず、捕集に要する時間が長くなっている。
【課題を解決するための手段】
【０００６】
このため、本考案は、シンクと、前記シンクに連結したディスポーザーを備える厨芥処理装置において、前記シンクは、厨芥を前記ディスポーザーに流し込む水を供給する給水管と、前記給水管の水量を調整する調整弁を有し、前記ディスポーザーは、破砕室の外側に取り付けた異物捕集箱と、前記破砕室の側壁に設けられて、前記破砕室と前記異物捕集箱を連絡する開口部と、前記開口部を開閉する閉塞板と、前記閉塞板を開閉操作する操作装置を有することを特徴としている。そのため、厨芥に異物が混入したため閉塞板を開いている間は、前記調整弁を調整して給水管の水量を減少させ、破砕室に流れ込む厨芥の量を少なくし、破砕室内で飛び散っている厨芥を減らすことができる。
【０００７】
また、前記ディスポーザーは、前記ディスポーザーは、前記閉塞板とともに移動する操作片と、前記操作片によって操作されるリミットスイッチを備え、前記調整弁は前記リミットスイッチによって操作されて、前記閉塞板が前記開口を開放している間は、前記給水管が前記シンクに供給する水量を減少させるようにしてもよい。このように構成すれば、閉塞板が開いている間は、リミットスイッチからの信号で調整弁を調整して給水管の水量を減少させ、破砕室に流れ込む厨芥を少なくすることができる。
【考案の効果】
【０００８】
このように本考案は、シンクの給水管に調整弁を設け、破砕室の側壁の外側に異物捕集箱を備え、破砕室と異物捕集箱を開口部で連絡し、開口部には閉塞板を備え、異物が投入された時は、前記開口部を開いて異物を捕集するとともに、調整弁を絞ってシンクに供給される水を制限して、破砕室内の厨芥を少なくするので、異物の飛び跳ねが厨芥によって邪魔されずに活発になり、異物捕集箱への飛び込みが円滑で短時間で確実に行われるという効果が得られる。また、異物捕集箱への厨芥の飛び込みによる汚損を減少させる効果が得られる。
【図面の簡単な説明】
【０００９】
【図１】本発明の実施例を示す厨芥処理装置の側面図であり、シンクの一部を省略している。
【図２】図１の厨芥処理装置を反対側から見た側面図であり、異物捕集箱部分を示す図である。
【図３】図２の異物捕集箱部分を断面図示した図である。
【考案を実施するための形態】
【００１０】
以下、本考案を実施するための形態を、図面を参照しながら説明する。
【００１１】
図１において、１はディスポーザー、２はシンクである。３は給水管であって、シンク２に水を供給する。給水管３からシンク２に供給された水は、シンク２に投入された厨芥をディスポーザー１に流し込む。また、給水管３は調整弁４を備えている。
【００１２】
図１ないし図３において、１１はディスポーザーの投入口、１２は破砕室、１３は回転刃板、１４は破砕室１２の内壁に設けた開口部、１５は異物捕集箱、１６は開口部の閉塞板、１７は異物捕集箱１５に軸支され閉塞板を開閉させる操作軸、１８は操作軸の一方端に取り付けた操作ハンドル、１９は操作軸の他方端に設けた操作片、２０は厨芥溜りである。
【００１３】
また、２１はリミットスイッチであり、取付板２２に取り付けられて、操作片１９によって操作される。また、リミットスイッチ２１は閉塞板１６が開口部１４を塞いだ状態（図３の状態）になっていて、操作片１９が図１において実線で示す位置にある時に、オフになり、調整弁４を十分な通水状態に保持する。
【００１４】
常時は、閉塞板１６が開口部１４を塞いでいて、リミットスイッチ２１はオフ状態にあるので、調整弁４を介して給水管３から供給される水によって、シンク２に投入された厨芥はディスポーザー１の破砕室１２に流し込まれ、破砕室１２内で回転する回転刃板１３によって、破砕される。
【００１５】
この時、厨芥に異物が混入していると、該異物が回転刃板１３で跳ね飛ばされ、破砕室１２の内壁に当たって異常音を発するので、操作ハンドル１８を図２において点線で示される位置に操作し、閉塞板１６を操作軸１７回りに回動させて開口部１４を開くと、操作片１９が図１において点線で示される位置まで回動する。このように操作片１９が回動すると、リミットスイッチ２１がオン状態になり、調整弁４は水量を絞る方向に動作して、通水を止め、あるいは通水量を減らす。その結果、厨芥の破砕室１２への流れ込みが制限される。
【００１６】
すると、破砕室１２内で飛び跳ねる厨芥の量が少なくなるので、異物捕集箱１５への飛び込む厨芥も少なくなり、厨芥の飛び跳ねによる邪魔が減少して、異物の飛び跳ねが十分に行なわれ、異物は円滑に異物捕集箱１５に捕集される。
【００１７】
異物が捕集され異常音がなくなると、操作ハンドル１８を図２において実線で示される位置に戻して閉塞板１６を閉じる。そうすると、操作片１９が図１において実線で示される位置まで回動するので、リミットスイッチ２１はオフ状態になり、調整弁４が開かれ、ディスポーザー１に通常の厨芥処理を行なわせる。
【００１８】
なお、開口部１４を開閉する閉塞板１６を異物捕集箱１５の軸方向に移動させようにした場合も、閉塞板１６の移動でリミットスイッチ２１を動作させることができる。操作片１９を、操作軸１７の操作軸ハンドル１８と同じ側に設けてもよい。
【符号の説明】
【００１９】
１ ディスポーザー
２ シンク
３ 給水管
４ 調整弁
１１ 投入口
１２ 破砕室
１３ 回転刃板
１４ 開口部
１５ 異物捕集箱
１６ 閉塞板
１７ 操作軸
１８ 操作ハンドル
１９ 操作片
２０ 厨芥溜り
２１ リミットスイッチ
２２ 取付板
【図１】
0003165757.tif 000003
【図２】
0003165757.tif 000004
【図３】
0003165757.tif 000005